(57)【要約】【課題】美観が良好で、高級感を有し、強度的にも優れ、内部に収容したアンテナが確実に電波を受信することが可能な無線機能付き時計を提供する。【解決手段】電性の時計ケース胴体を有するハウジングと、ハウジング内に収容され、外部からの電波を受信するためのアンテナとを備えた無線機能付き時計であって、時計ケース胴体が、アンテナの開放端部近傍に少なくとも対向した箇所に肉厚を薄く形成した薄肉部または貫通孔を備えるとともに、時計ケース胴体の薄肉部の外側、または、貫通孔の外側または内部に装飾部材を配置した。【選択図】図４
2010237014.tif 000002
【特許請求の範囲】
【請求項１】
導電性の時計ケース胴体を有するハウジングと、前記ハウジング内に収容され、外部からの電波を受信するためのアンテナとを備えた無線機能付き時計であって、
前記時計ケース胴体が、前記アンテナの開放端部近傍に少なくとも対向した箇所に、肉厚を薄く形成した薄肉部または貫通孔を備えるとともに、
前記時計ケース胴体の薄肉部の外側、または、貫通孔の外側または内部に装飾部材を配置したことを特徴とする無線機能付き時計。
【請求項２】
前記時計ケース胴体の薄肉部または貫通孔が、アンテナの少なくとも一方の開放端部に対向して配置された薄肉部または貫通孔から構成されていることを特徴とする請求項１に記載の無線機能付き時計。
【請求項３】
前記時計ケース胴体の薄肉部または貫通孔が、時計ケース胴体の全周にわたって形成されていることを特徴とする請求項１に記載の無線機能付き時計。
【請求項４】
前記時計ケース胴体の薄肉部または貫通孔の水平方向に沿った寸法が、少なくともアンテナのコアの水平方向に沿った寸法より大きく形成されていることを特徴とする請求項１から３のいずれかに記載の無線機能付き時計。
【請求項５】
前記時計ケース胴体の薄肉部または貫通孔の上下方向に沿った寸法が、少なくともアンテナのコアの上下方向に沿った寸法より大きく形成されていることを特徴とする請求項１から４のいずれかに記載の無線機能付き時計。
【請求項６】
前記装飾部材が、側方ガラス部材であることを特徴とする請求項１から５のいずれかに記載の無線機能付き時計。
【請求項７】
時計ケース胴体の側面にガラス部材を備えた無線機能付き時計であって、
前記時計ケース胴体の側面から、平面方向外側に突設する複数の側方支持部と、
前記隣接する側方支持部の間に形成された側方収容凹部と、
前記側方収容凹部に装着された側方ガラス部材とを備え、
前記側方ガラス部材の側面が、隣接する側方支持部によって支持されていることを特徴とする請求項６に記載の無線機能付き時計。
【請求項８】
前記側方支持部の間に支持された側方ガラス部材が、時計ケース胴体の側面の外周に配置されていることを特徴とする請求項７に記載の無線機能付き時計。
【請求項９】
前記時計ケース胴体の裏面に装着される裏蓋が、前記側方支持部に係止部材によって係止されていることを特徴とする請求項７から８のいずれかに記載の無線機能付き時計。
【請求項１０】
前記側方支持部の上面に、凹部が形成されており、前記凹部に側方ガラス部材が装着されていることを特徴とする請求項７から９のいずれかに記載の無線機能付き時計。
【請求項１１】
前記隣接する側方支持部の間に形成された側方収容凹部内に、前記時計ケース胴体の側面から、平面方向外側に突設して、前記側方ガラス部材の下面を支持する下方支持部を備えていることを特徴とする請求項７から１０のいずれかに記載の無線機能付き時計。
【発明の詳細な説明】
【技術分野】
【０００１】
本発明は、無線機能付き時計、特に、所定の電波を受信できるアンテナと、アンテナを収容するための導電性のハウジングを備えた時計に関し、より詳細には、例えば、腕時計などにおいて、多面カットなどの装飾処理が施されたガラス部材を備えた時計、特に、時計ケース胴体の側面、上面の風防ガラスの部分に、装飾処理が施されたガラス部材を備えた装飾性の高い無線機能付き時計に関する。
【背景技術】
【０００２】
従来、腕時計において、装飾性、デザインのバリエーションの拡大、高級感を向上するために、時計ケース胴体の側面にガラス部材を備えた腕時計が、特許文献１（特開昭５５−０４７４７３号公報）、特許文献２（ヨーロッパ特許公報（ＥＰ−１０８４４６０Ｂ１））などにおいて既に提案されている。
【０００３】
これらの従来のガラス部材を備えた腕時計について、特許文献２の腕時計を模式的に示したのが、図２８の平面図、図２９の部分拡大断面図である。
なお、本明細書において、「上面」、「上方向」、「上方」、「表側」とは、時計の視認側を言い、「下面」、「下方向」、「下方」、「裏側」とは、時計の視認側と反対側を言う。
【０００４】
図２８に示したように、従来の時計１００は、時計ケース胴体１０２を備えており、時計ケース胴体１０２の側面１０４に、上方フランジ１０６が、周方向外側に突設されている。
【０００５】
一方、裏蓋１０８が、ネジなどの締結部材１１０によって、時計ケース胴体１０２の下面側に固定、この裏蓋１０８の外周側が周方向外側に突設する延設部１１２が形成されている。そして、時計ケース胴体１０２の上方フランジ１０６と、裏蓋１０８の延設部１１２によって、時計ケース胴体１０２の側面１０４に、側方収容凹部１１４が形成されている。この側方収容凹部１１４に、いわゆる多面カット処理が施された環状の側方ガラス部材１１６が嵌合されている。
【０００６】
なお、この側方ガラス部材１１６の上方隅角部分と、時計ケース胴体１０２の上方フランジ１０６との間には、環状のＯリングパッキン１１８が介装されるとともに、側方ガラス部材１１６の下方部分と、裏蓋１０８の間にはパッキン１２０が介装されている。
【０００７】
また、図２８、図２９中、符号１２２は、風防ガラス、１２４は、防水パッキン、１２６は、表示板、１２８は、ムーブメント、１３０は、ムーブメント１２８を支持する支持枠、１３２は、バンドの連結部材、１３４は、バンド、１３６は、リューズなどの操作部材を示している。
【０００８】
一方、従来、パソコン通信機能、携帯電話機能や非接触式ＩＣカード機能などの無線機能を備える時計は、すでに知られている。
このような無線機能付き時計として、時刻情報を含む長波標準電波（搬送波）を受信し、その時刻情報に基づいて時刻を修正する無線機能を備えた電波時計も、また広く知られている。
【０００９】
これらの無線機能付き時計は、他の通信機器と同様に、所定の電波を受信するためのアンテナを備える必要がある。
このため、電波を受信する機能、すなわち、受信感度からすれば、電波を受信するアンテナを収納する筐体であるハウジングを、合成樹脂などの非導電性の素材から構成することが考えられる。
【００１０】
しかしながら、これら無線機能付き時計は、時計であるがために、他の通信機器と異なり、装飾品、または装身具としての美観や高級観が求められる。
このため、電波を受信するアンテナを収納する筐体であるハウジングを、合成樹脂などの非導電性の素材ではなく、導電性の素材、すなわち、金属製の素材を採用することが求められる。
【００１１】
これは、合成樹脂などのハウジングが、その質感、色調、または軽量さから、安価な外観と装着感とを使用者に与えるものであり、これに対して、金属製のハウジングが、高級感のある外観と装着感とを使用者に与えるためである。
【００１２】
この金属製のハウジングに対する要求は、ユーザーに携帯される装身具としての腕時計において、特に著しいものである。
しかしながら、アンテナを、導電性のハウジング、すなわち、金属製のハウジング内に収納した場合には、アンテナ近傍に発生する磁束が導電材料である金属製のハウジングに吸収され、共振現象が妨げられるため、アンテナが標準電波を受信する受信機能が著しく低下してしまうことになる。
【００１３】
このため、従来より、様々な受信感度向上のための提案がなされている。例えば、特許文献３（特開２００４−２８６６８８号公報）では、金属製筐体である金属製のハウジングを備える電波時計、特に、電波腕時計が開示されている。
【００１４】
すなわち、特許文献３の電波時計を模式的に図示した断面図である図３０に示したように、この電波時計２００は、ハウジング２０２を備えている。このハウジング２０２は、金属製の枠体を構成する時計ケース胴体２０４と、時計ケース胴体２０４の下面開口部を覆うように密封状態で装着される金属製の裏蓋２０６と、この時計ケース胴体２０４の上面開口部を覆うように、密封状態で装着される風防（ガラス）２０８とを備えている。
【００１５】
このハウジング２０２内には、時計駆動部を構成するムーブメント２１０を備えており、ムーブメント２１０の上面側に、文字板２１２を備えている。このムーブメント２１０の側部下方には、標準電波を受信するためのアンテナ２１４が付設されている。
【００１６】
なお、図示しないが、ムーブメント２１０より突出して、文字板２１４を貫通する針軸に、分針２１６と時針２１８とが配置される。これら分針２１６と時針２１８とは、文字板２１４と風防２０８との間に位置して時刻を表示するようになっている。
【００１７】
そして、時計ケース胴体２０４のアンテナ２１４の軸線上に位置する部分を、その肉厚を電波が受信できる程度に薄くした薄肉部２２０が形成されている。この薄肉部２２０の内側に形成された凹部２２２に、この薄肉部２２０を補強する水熱合成セラミックス製の補強体２２４を配置している。
【先行技術文献】
【特許文献】
【００１８】
【特許文献１】特開昭５５−０４７４７３号公報
【特許文献２】ヨーロッパ特許公報（ＥＰ−１０８４４６０Ｂ１）
【特許文献３】特開２００４−２８６６８８号公報
【発明の概要】
【発明が解決しようとする課題】
【００１９】
特許文献１、２に記載の従来の時計１００では、例えば、図２９の矢印で示したように、外周側から内向きに外力が加わった場合には、側方ガラス部材１１６は、時計ケース胴体１０２の側面１０４に保持された状態であるので、強度を保持することができる。これに対して、従来の時計１００では、例えば、図２８の矢印方向に、外力が加わった場合には、側方ガラス部材１１６を支持する部材が存在しない状態となるので、強度的に弱く、いわゆるチッピングが発生するなどして、破損損傷してしまい品質が低下することになる。
【００２０】
また、従来の時計１００では、側方ガラス部材１１６は、環状で一体であるので、多面カット処理、製造が難しく、一部分でもカット処理のミスが発生した場合には、側方ガラス部材１１６を破棄しなければならず、コストが高くつくことになるとともに、資源の無駄使いとなっていた。
【００２１】
さらに、従来の時計１００では、側方ガラス部材１１６は、環状で一体であるので、デザイン的にも単純なものであり、デザインバリエーションの拡大が図れ、高級感のある斬新なデザインの時計を得るにはまだまだ十分でなかった。
【００２２】
また、特許文献３の電波時計２００では、金属製の時計ケース胴体２０４に形成した薄肉部２２０によって、アンテナ２１４の受信感度が向上しており、薄肉部２２０を補強体２２４で補強している。
【００２３】
しかしながら、この特許文献３の電波時計２００では、金属製の時計ケース胴体２０４の外側に位置する薄肉部２２０を形成することにより、時計ケース胴体の強度が不十分であった。
【００２４】
また、特許文献３の電波時計２００では、薄肉部２２０の内側に形成された凹部２２２に補強体２２４を設けるには、この凹部２２２に、射出または押し出しによって水熱合成セラミックを流し込んで凹部２２２に隙間無く充填し、この状態で加圧成形したものを、金属製の時計ケース胴体２０４の溶融温度以下の温度である固化温度で水熱合成することによって製造する必要があり煩雑な作業が必要であり、コストも高くつくことになる。
【００２５】
本発明は、このような現状に鑑み、側方ガラス部材の強度を保持することができ、いかなる方向から外力が加わった場合にも、側方ガラス部材を支持する部材が存在した状態となり、強度的に強く、いわゆるチッピングが発生することなく、破損損傷せず、品質が低下することのない時計を提供することを目的とする。
【００２６】
また、従来の腕時計のように、側方ガラス部材が、環状で一体でなく、複数の側方ガラス部材から構成され、多面カットなどの装飾処理、製造が簡単で、一部分でも多面カットなどの装飾処理のミスが発生した場合にも、その部分の側方ガラス部材だけを、新しい正常に装飾処理を施した側方ガラス部材に交換するだけで良く、コストを低減することができ、資源を効率よく利用できる時計を提供することを目的とする。
【００２７】
さらに、従来の腕時計のように、側方ガラス部材が、環状で一体でなく、複数の側方ガラス部材から構成され、デザインバリエーションの拡大が図れ、高級感のある斬新なデザインの時計を提供することを目的とする。
【００２８】
また、本発明は、美観が良好で、高級感を有し、強度的にも優れ、内部に収容したアンテナが確実に電波を受信することが可能な無線機能付き時計を提供することを目的とする。
【課題を解決するための手段】
【００２９】
本発明は、前述したような従来技術における課題及び目的を達成するために発明されたものであって、本発明の無線機能付き時計は、
導電性の時計ケース胴体を有するハウジングと、前記ハウジング内に収容され、外部からの電波を受信するためのアンテナとを備えた無線機能付き時計であって、
前記時計ケース胴体が、前記アンテナの開放端部近傍に少なくとも対向した箇所に、肉厚を薄く形成した薄肉部または貫通孔を備えるとともに、
前記時計ケース胴体の薄肉部の外側、または、貫通孔の外側または内部に装飾部材を配置したことを特徴とする。
【００３０】
このように構成することによって、アンテナの開放端部近傍に対向した箇所に、肉厚を薄く形成した薄肉部または貫通孔を備えるので、この薄肉部を介してまたは貫通孔、電波がアンテナの開放端部で受信され、導電性の時計ケースや裏蓋を採用した場合にも、アンテナの受信感度の低下が阻止されることになり、アンテナの受信感度が向上することになる。
【００３１】
このため、導電性の時計ケース胴体や裏蓋を採用することができるので、美観が良好で、高級感を有し、強度的にも優れ、内部に収容したアンテナが確実に電波を受信することが可能な無線機能付き時計を提供することができる。
【００３２】
また、時計ケース胴体の薄肉部または貫通孔の外側に装飾部材を配置しているので、薄肉部または貫通孔が補強体として機能する装飾部材によって、機械的にも補強強度が向上し、しかも、この時計ケース胴体の薄肉部または貫通孔の外側に装飾部材によって、乱反射によって、または、装飾部材の材質によって、薄肉部または貫通孔が外から見えなくなり、この時計ケース胴体の薄肉部または貫通孔の外側に装飾部材が、観者に視認されることになるので、デザイン的にも時計ケース胴体が視認される単純なものでなく、装飾部材によってデザインバリエーションの拡大が図れ、高級感のある斬新なデザインの時計を得ることができる。
【００３３】
なお、本発明において、導電性の部材とは、「その部材の素材自体が導電性の部材であるもの」、または、「その部材に導電性の被膜が被覆されたもの」を言う。後者の場合、部材の素材自体は、非導電性の素材であっても、導電性の素材であっても、または、非導電性の素材と導電性の素材の組み合わせであってもよい。
【００３４】
逆に、非導電性の部材とは、「その部材の素材自体が非電性の部材であるもの」、または、「その部材に非電性の被膜が被覆されたもの」を言う。後者の場合、部材の素材自体は、非導電性の素材であっても、導電性の素材であっても、または、非導電性の素材と導電性の素材の組み合わせであってもよい。
【００３５】
時計ケース胴体を構成する導電性の材料としては、例えば、金、銀、銅、黄銅、アルミニウム、マグネシウム、亜鉛、チタン、またはこれらの合金などが採用される。また、例えば、チタン合金、ステンレススチール、タンタルカーバイドなどが採用されてもよい。
【００３６】
また、本発明の無線機能付き時計は、前記時計ケース胴体の薄肉部または貫通孔が、アンテナの少なくとも一方の開放端部に対向して配置された薄肉部または貫通孔から構成されていることを特徴とする。
【００３７】
このように構成することによって、アンテナの少なくとも一方の開放端部に対向して配置された薄肉部または貫通孔を介して、電波がアンテナの開放端部に受信され、導電性の時計ケース胴体や裏蓋を採用した場合にも、アンテナの受信感度の低下が阻止されることになり、アンテナの受信感度が向上することになる。
【００３８】
また、本発明の無線機能付き時計は、前記時計ケース胴体の薄肉部または貫通孔が、アンテナの軸線の延長上に位置することを特徴とする。
このように構成することによって、アンテナの軸線の延長上に位置する薄肉部または貫通孔を介して、電波がアンテナの開放端部に受信され、導電性の時計ケース胴体や裏蓋を採用した場合にも、アンテナの受信感度の低下が阻止されることになり、アンテナの受信感度が向上することになる。
【００３９】
また、本発明の無線機能付き時計は、前記時計ケース胴体の薄肉部または貫通孔が、時計ケース胴体の全周にわたって形成されていることを特徴とする。
このように時計ケース胴体の薄肉部または貫通孔が、時計ケース胴体の全周にわたって形成されていても、薄肉部または貫通孔を介して、電波がアンテナの開放端部に受信され、導電性の時計ケースや裏蓋を採用した場合にも、アンテナの受信感度の低下が阻止されることになり、アンテナの受信感度が向上することになる。
【００４０】
しかも、時計ケース胴体の全周にわたって、時計ケース胴体の薄肉部または貫通孔の外側に装飾部材を配置することができるので、薄肉部または貫通孔が補強体として機能する装飾部材によって、機械的にも補強強度が向上し、しかも、この時計ケース胴体の薄肉部または貫通孔の外側に装飾部材が、観者に視認されることになるので、デザイン的にも時計ケース胴体が視認される単純なものでなく、デザインバリエーションの拡大が図れ、高級感のある斬新なデザインの時計を得ることができる。
【００４１】
また、本発明の無線機能付き時計は、前記時計ケース胴体の薄肉部または貫通孔の水平方向に沿った寸法が、少なくともアンテナのコアの水平方向に沿った寸法より大きく形成されていることを特徴とする。
【００４２】
このように構成することによって、時計ケース胴体の薄肉部または貫通孔の水平方向に沿った寸法が、少なくともアンテナのコアの水平方向に沿った寸法より大きく形成されているので、アンテナの開放両端部、すなわち、少なくともアンテナのコア周りに、薄肉部または貫通孔を介して、電波がアンテナの開放端部に受信され、導電性の時計ケースや裏蓋を採用した場合にも、アンテナの受信感度の低下が阻止されることになり、アンテナの受信感度が向上することになる。
【００４３】
また、本発明の無線機能付き時計は、前記時計ケース胴体の薄肉部または貫通孔の上下方向に沿った寸法が、少なくともアンテナのコアの上下方向に沿った寸法より大きく形成されていることを特徴とする。
【００４４】
このように構成することによって、時計ケース胴体の薄肉部または貫通孔の上下方向に沿った寸法が、少なくともアンテナのコアの上下方向に沿った寸法より大きく形成されているので、アンテナの開放両端部、すなわち、少なくともアンテナのコア周りに、薄肉部または貫通孔を介して、電波がアンテナの開放端部に受信され、導電性の時計ケースや裏蓋を採用した場合にも、アンテナの受信感度の低下が阻止されることになり、アンテナの受信感度が向上することになる。
【００４５】
また、本発明の無線機能付き時計は、前記装飾部材が、側方ガラス部材であることを特徴とする。
このように構成することによって、時計ケース胴体の薄肉部または貫通孔の外側に側方ガラス部材を配置しているので、薄肉部または貫通孔が補強体として機能する側方ガラス部材によって、機械的にも補強強度が向上し、しかも、この時計ケース胴体の薄肉部または貫通孔の外側に側方ガラス部材が、観者に視認され、側方ガラスによって光が乱反射されることになるので、デザイン的にも時計ケース胴体が視認される単純なものでなく、側方ガラス部材によってデザインバリエーションの拡大が図れ、高級感のある斬新なデザインの時計を得ることができる。
【００４６】
さらに、装飾部材として、側方ガラス部材を配置しているので、側方ガラス部材を介して、電波がアンテナの端面に受信され易く（側方ガラス部材を介して電波が回り込み易く）なり、導電性の時計ケース胴体や裏蓋を採用した場合にも、アンテナの受信感度の低下が阻止されることになり、アンテナの受信感度が向上することになる。
【００４７】
また、本発明の無線機能付き時計は、時計ケース胴体の側面にガラス部材を備えた無線機能付き時計であって、
前記時計ケース胴体の側面から、平面方向外側に突設する複数の側方支持部と、
前記隣接する側方支持部の間に形成された側方収容凹部と、
前記側方収容凹部に装着された側方ガラス部材とを備え、
前記側方ガラス部材の側面が、隣接する側方支持部によって支持されていることを特徴とする。
【００４８】
このように構成することによって、時計ケース胴体の側面から、平面方向外側に突設する複数の側方支持部のうち、隣接する側方支持部の間に形成された側方収容凹部に、側方ガラス部材が装着され、側方ガラス部材の側面が、隣接する側方支持部によって支持されていることになる。
【００４９】
従って、平面方向において、いかなる方向から外力が加わった場合にも、側方ガラス部材が側方支持部によって支持されている状態となり、強度的に強く、いわゆるチッピングが発生することなく、破損損傷せず、品質が低下することのない時計を提供することができる。
【００５０】
また、従来の腕時計のように、側方ガラス部材が、環状で一体でなく、複数の側方ガラス部材から構成され、多面カットなどの装飾処理、製造が簡単で、一部分でも多面カットなどの装飾処理のミスが発生した場合にも、その部分の側方ガラス部材だけを、新しい正常に装飾処理を施した側方ガラス部材に交換するだけで良く、コストを低減することができ、資源を効率よく利用できる時計を提供することができる。
【００５１】
さらに、従来の腕時計のように、側方ガラス部材が、環状で一体でなく、複数の側方ガラス部材から構成されるので、異なる種類の側方ガラス部材、例えば、異なる色の組み合わせ、フラットの通常のガラスと、多面カットガラスの組み合わせ、ヘアーラインなどの目付け模様などの異なるガラスの組み合わせなどを選択することによって、デザインバリエーションの拡大が図れ、高級感のある斬新なデザインの時計を提供することができる。
【００５２】
この場合、本明細書で、「ガラス」とは、例えば、強化ガラス、白板ガラス、青板ガラスなどの無機ガラス、高純度のアルミナを巨大結晶させたサファイアガラスなどの強化ガラス、プラスチックなどの強化ガラスなどのガラスを全て含む意味であり、特に限定されるものではない。
【００５３】
また、これらのガラスは、透明、半透明であっても良く、また、色つきのもの、異なる色を組み合わせたものであっても良い。さらに、これらのガラスは、その表面に、例えば、旭光模様、ヘアーラインなどの目付け模様、刻印、マークなど、その他のいかなる装飾処理を施したものであっても良い。
【００５４】
また、本明細書において「ガラス」として、ダイヤモンドやルビーなどの貴石を用いることによって、より装飾性に富み、デザインバリエーションの拡大が図れ、高級感のある斬新なデザインの時計を提供することができる。
【００５５】
さらに、隣接する側方支持部の間に形成された複数の側方収容凹部に全てのうち、側方ガラス部材を装着することもできるが、少なくとも１つの側方収容凹部に装着すれば良く、側方ガラス部材の装着数、装着位置を種々選択することによって、デザインバリエーションの拡大が図れ、高級感のある斬新なデザインの時計を提供することができる。
【００５６】
なお、この場合、側方収容凹部に側方ガラス部材を装着する方法としては、特に限定されるものではなく、嵌合、圧入、かしめなどの機械的な接合、粘着剤または接着剤による接合、ゴム、樹脂などのパッキンを幅方向に圧縮しての固定方法などを用いることができる。
【００５７】
また、本発明の無線機能付き時計は、前記側方支持部の間に支持された側方ガラス部材が、時計ケース胴体の側面の外周に配置されていることを特徴とする。
このように側方支持部の間に支持された側方ガラス部材が、時計ケース胴体の側面の外周に配置されているので、デザインバリエーションの拡大が図れるとともに、平面方向において、いかなる方向から外力が加わった場合にも、側方ガラス部材が環状に側方支持部によって全て支持されている状態となり、強度的にさらに強く、いわゆるチッピングが発生することなく、破損損傷せず、品質が低下することのない時計を提供することができる。
【００５８】
また、本発明の無線機能付き時計は、前記時計ケース胴体の裏面に装着される裏蓋が、前記側方支持部に係止部材によって係止されていることを特徴とする。
このように構成することによって、時計ケース胴体の裏面に裏蓋を、側方支持部に、例えば、ネジなどの係止部材によって係止することができるので、裏蓋を、時計ケース胴体の裏面に確実に固定することができる。
【００５９】
また、本発明の時計は、前記側方支持部の上面に、凹部が形成されており、前記凹部に側方ガラス部材が装着されていることを特徴とする。
このように構成することによって、側方収容凹部に側方ガラス部材が装着されているだけでなく、側方支持部の上面に形成された凹部にも、側方ガラス部材が装着されているので、デザインバリエーションの拡大が図れ、高級感のある斬新なデザインの時計を提供することができる。
【００６０】
また、本発明の無線機能付き時計は、前記隣接する側方支持部の間に形成された側方収容凹部内に、前記時計ケース胴体の側面から、平面方向外側に突設して、前記側方ガラス部材の下面を支持する下方支持部を備えていることを特徴とする。
【００６１】
このように構成することによって、側方ガラス部材の下面が、下方支持部によって支持されていることになる。
従って、上下方向から外力が加わった場合にも、側方ガラス部材が側方支持部によって支持されている状態となり、強度的に強く、いわゆるチッピングが発生することなく、破損損傷せず、品質が低下することのない時計を提供することができる。
【発明の効果】
【００６２】
本発明によれば、アンテナの開放端部近傍に対向して配置された時計ケース胴体の肉厚を薄く形成した薄肉部または貫通孔を備えるので、この薄肉部を介してまたは貫通孔、電波がアンテナの開放端部に受信され、導電性の時計ケースや裏蓋を採用した場合にも、アンテナの受信感度の低下が阻止されることになり、アンテナの受信感度が向上することになる。
【００６３】
このため、導電性の時計ケース胴体や裏蓋を採用することができるので、美観が良好で、高級感を有し、強度的にも優れ、内部に収容したアンテナが確実に電波を受信することが可能な無線機能付き時計を提供することができる。
【００６４】
また、時計ケース胴体の薄肉部または貫通孔の外側に装飾部材を配置しているので、薄肉部または貫通孔が補強体として機能する装飾部材によって、機械的にも補強強度が向上し、しかも、この時計ケース胴体の薄肉部または貫通孔の外側に装飾部材によって、乱反射したり、装飾部材の材質によって、薄肉部または貫通孔が外から見えなくなり、この時計ケース胴体の薄肉部または貫通孔の外側に装飾部材が、観者に視認されることになるので、デザイン的にも時計ケース胴体が視認される単純なものでなく、装飾部材によってデザインバリエーションの拡大が図れ、高級感のある斬新なデザインの時計を得ることができる。
【００６５】
また、本発明によれば、時計ケース胴体の側面から、平面方向外側に突設する複数の側方支持部のうち、隣接する側方支持部の間に形成された側方収容凹部に、側方ガラス部材が装着され、側方ガラス部材の側面が、隣接する側方支持部によって支持されていることになる。
【００６６】
従って、平面方向において、いかなる方向から外力が加わった場合にも、側方ガラス部材が側方支持部によって支持されている状態となり、強度的に強く、いわゆるチッピングが発生することなく、破損損傷せず、品質が低下することのない時計を提供することができる。
【００６７】
また、従来の腕時計のように、側方ガラス部材が、環状で一体でなく、複数の側方ガラス部材から構成され、多面カットなどの装飾処理、製造が簡単で、一部分でも多面カットなどの装飾処理のミスが発生した場合にも、その部分の側方ガラス部材だけを、新しい正常に装飾処理を施した側方ガラス部材に交換するだけで良く、コストを低減することができ、資源を効率よく利用できる時計を提供することができる。
【００６８】
さらに、従来の腕時計のように、側方ガラス部材が、環状で一体でなく、複数の側方ガラス部材から構成されるので、異なる種類の側方ガラス部材、例えば、異なる色の組み合わせ、フラットの通常のガラスと、多面カットガラスの組み合わせ、ヘアーラインなどの目付け模様などの異なるガラスの組み合わせなどを選択することによって、デザインバリエーションの拡大が図れ、高級感のある斬新なデザインの時計を提供することができる。
【図面の簡単な説明】
【００６９】
【図１】図１は、本発明の時計を腕時計に適用した実施例の腕時計の斜視図である。
【図２】図２は、図１の腕時計の上面図である。
【図３】図３は、図１の腕時計の下面図である。
【図４】図４は、図２のＡ−Ａ線での断面図である。
【図５】図５は、図２のＢ−Ｂ線での断面図である。
【図６】図６は、図６は、図２のＣ−Ｃ線での断面図である。
【図７】図７は、時計ケース胴体の斜視図である。
【図８】図８は、時計ケース胴体の上面図である。
【図９】図９は、時計ケース胴体と、側方ガラス部材と、上方ガラス部材を示す分解斜視図である。
【図１０】図１０は、図１の腕時計の分解斜視図である。
【図１１】図１１は、図１の腕時計の作用を模式的に示す断面図である。
【図１２】図１２は、本発明の別の実施例の腕時計を示す上面図である。
【図１３】図１３は、本発明の別の実施例の腕時計を模式的に示す図７と同様な時計ケース胴体の斜視図である。
【図１４】図１４は、本発明の別の実施例の腕時計を模式的に示す断面図である。
【図１５】図１５は、本発明の別の実施例の時計の図２と同様な腕時計の上面図である。
【図１６】図１６は、図１５の腕時計の図６と同様な断面図である。
【図１７】図１７は、図１５の腕時計の図９と同様な時計ケース胴体と、側方ガラス部材と、上方ガラス部材を示す分解斜視図である。
【図１８】図１８は、本発明の別の実施例の時計の図１と同様な斜視図である。
【図１９】図１９は、図１８の腕時計の図２と同様な腕時計の上面図である。
【図２０】図２０は、図１８の腕時計の図９と同様な時計ケース胴体と、側方ガラス部材と、上方ガラス部材を示す分解斜視図である。
【図２１】図２１は、本発明の別の実施例の時計の図１１と同様な断面図である。
【図２２】図２２は、本発明の別の実施例の時計の図２と同様な腕時計の上面図である。
【図２３】図２３は、本発明の別の実施例の時計の図２と同様な腕時計の上面図である。
【図２４】図２４は、本発明の別の実施例の時計の図２と同様な腕時計の上面図である。
【図２５】図２５は、本発明の別の実施例の時計の図２と同様な腕時計の上面図である。
【図２６】図２６は、本発明の別の実施例の時計の図２と同様な腕時計の上面図である。
【図２７】図２７は、本発明の別の実施例の時計の図２と同様な腕時計の上面図である。
【図２８】図２８は、従来のガラス部材を備えた腕時計の平面図である。
【図２９】図２９は、従来のガラス部材を備えた部分拡大断面図である。
【図３０】図３０は、従来の電波時計を模式的に図示した断面図である。
【発明を実施するための形態】
【００７０】
以下、本発明の実施の形態（実施例）を図面に基づいてより詳細に説明する。
【実施例１】
【００７１】
図１は、本発明の無線機能付き時計を腕時計に適用した実施例の腕時計の斜視図、図２は、図１の腕時計の上面図、図３は、図１の腕時計の下面図、図４は、図２のＡ−Ａ線での断面図、図５は、図２のＢ−Ｂ線での断面図、図６は、図２のＣ−Ｃ線での断面図、図７は、時計ケース胴体の斜視図、図８は、時計ケース胴体の上面図、図９は、時計ケース胴体と、側方ガラス部材と、上方ガラス部材を示す分解斜視図、図１０は、図１の腕時計の分解斜視図、図１１は、図１の腕時計の作用を模式的に示す断面図である。
【００７２】
図１〜図１１において、符号１０は、全体で本発明の無線機能付き時計を腕時計に適用した実施例の腕時計を示している。
なお、本発明で言う「無線機能付き時計」とは、例えば、パソコン通信機能、携帯電話機能や非接触式ＩＣカード機能などの無線機能を備える時計、時刻情報を含む長波標準電波（搬送波）を受信し、その時刻情報に基づいて時刻を修正する無線機能を備えた電波時計、これらの無線機能のいずれかを組み合わせて構成した時計を含むものであり、その他の無線機能を含んでもよいことは勿論である。
【００７３】
本発明の無線機能付き時計１０は、ハウジングの一部を構成する時計ケース胴体１２を備えており、この時計ケース胴体１２は、図７、図８に示したように、平面視で略井桁形状である。そして、複数の三角柱形状の側方支持部１６が、この実施例では、平面視で４つの隅角部に、時計ケース胴体１２の側面１４から、平面方向外側に上下方向に突設するように、側方支持部１６が形成されている。
【００７４】
これらの隣接する側方支持部１６の間に、複数の側方収容凹部２０、この実施例では、４つの側方収容凹部２０が形成されている。これらの側方収容凹部２０に、側方ガラス部材２２が装着されており、これにより、側方ガラス部材２２の側面が、隣接する側方支持部１６によって支持されている。
【００７５】
このように構成することによって、時計ケース胴体１２の側面１４から、平面方向外側に突設する複数の側方支持部１６のうち、隣接する側方支持部１６の間に形成された側方収容凹部２０に、側方ガラス部材２２が装着され、側方ガラス部材２２の側面が、隣接する側方支持部１６によって支持されていることになる。
【００７６】
従って、例えば、図２の矢印で示したように、平面方向において、いかなる方向から外力が加わった場合にも、側方ガラス部材２２が側方支持部１６によって支持されている状態となり、強度的に強く、いわゆるチッピングが発生することなく、破損損傷せず、品質が低下することのない時計を提供することができる。
【００７７】
また、従来の腕時計のように、側方ガラス部材２２が、環状で一体でなく、複数の側方ガラス部材２２から構成され、多面カットなどの装飾処理、製造が簡単で、一部分でも多面カットなどの装飾処理のミスが発生した場合にも、その部分の側方ガラス部材２２だけを、新しい正常に装飾処理を施した側方ガラス部材２２に交換するだけで良く、コストを低減することができ、資源を効率よく利用できる時計を提供することができる。
【００７８】
さらに、従来の腕時計のように、側方ガラス部材２２が、環状で一体でなく、複数の側方ガラス部材２２から構成されるので、異なる種類の側方ガラス部材２２、例えば、異なる色の組み合わせ、フラットの通常のガラスと、多面カットガラスの組み合わせ、ヘアーラインなどの目付け模様などの異なるガラスの組み合わせなどを選択することによって、デザインバリエーションの拡大が図れ、高級感のある斬新なデザインの時計を提供することができる。
【００７９】
この場合、「ガラス」とは、例えば、強化ガラス、白板ガラス、青板ガラスなどの無機ガラス、高純度のアルミナを巨大結晶させたサファイアガラスなどの強化ガラス、プラスチックなどの強化ガラスなどのガラスを全て含み意味であり、特に限定されるものではない。
【００８０】
また、これらのガラスは、透明、半透明であっても良く、また、色つきのもの、異なる色を組み合わせたものであっても良い。さらに、これらのガラスは、その表面に、例えば、旭光模様、ヘアーラインなどの目付け模様、刻印、マークなど、その他のいかなる装飾処理を施したものであっても良い。
【００８１】
また、「ガラス」として、ダイヤモンドやルビーなどの貴石を用いることによって、より装飾性に富み、デザインバリエーションの拡大が図れ、高級感のある斬新なデザインの時計を提供することができる。
【００８２】
なお、この場合、側方収容凹部２０に側方ガラス部材２２を装着する方法としては、特に限定されるものではなく、嵌合、圧入、かしめなどの機械的な接合、粘着剤または接着剤による接合、ゴム、樹脂などのパッキンを幅方向に圧縮しての固定方法などを用いることができる。
【００８３】
さらに、本発明の無線機能付き時計１０では、図２に示したように、側方支持部１６の間に支持された側方ガラス部材２２が、時計ケース胴体１２の側面１４の外周に環状に配置されている。
【００８４】
このように側方支持部１６の間に支持された側方ガラス部材２２が、時計ケース胴体１２の側面１４の外周に環状に配置されているので、デザインバリエーションの拡大が図れるとともに、平面方向において、いかなる方向から外力が加わった場合にも、側方ガラス部材２２が環状に側方支持部１６によって全て支持されている状態となり、強度的にさらに強く、いわゆるチッピングが発生することなく、破損損傷せず、品質が低下することのない時計を提供することができる。
【００８５】
なお、図２に示したように、隣接する側方支持部１６の間に形成された複数の側方収容凹部２０に全てのうち、側方ガラス部材２２を装着することもできるが、少なくとも１つの側方収容凹部２０に装着すれば良く、側方ガラス部材２２の装着数、装着位置を種々選択することによって、デザインバリエーションの拡大が図れ、高級感のある斬新なデザインの時計を提供することができる。
【００８６】
また、隣接する側方支持部１６の間に形成された複数の側方収容凹部２０内に、時計ケース胴体１２の側面１４から、平面方向外側に水平方向に突設して、側方ガラス部材２２の下面を支持する下方支持部２４を備えている。
【００８７】
このように構成することによって、側方ガラス部材２２の下面が、下方支持部２４によって支持されている。
従って、上下方向から外力が加わった場合にも、側方ガラス部材２２が側方支持部１６によって支持されている状態となり、強度的に強く、いわゆるチッピングが発生することなく、破損損傷せず、品質が低下することのない時計を提供することができる。
【００８８】
また、側方ガラス部材２２は、多面カットが施された側方ガラス部材であるのが好ましい。
このように側方ガラス部材２２が、多面カットが施されているので、デザインバリエーションの拡大が図れ、高級感のある斬新なデザインの時計を提供することができる。
【００８９】
なお、この場合、多面カットとは、複数の面が様々な角度で交わった面を有するような処理を言い、特に限定されるものではない。
また、図４〜図７に示したように、時計ケース胴体１２の内面に見返し部を構成するフランジ２６が形成されており、このフランジ２６の上面に段部２８が形成され、この段部２８の上面に、風防ガラスを構成する上方ガラス部材３０が支持されており、これにより、上方ガラス部材３０が時計ケース胴体１２の上面に装着されている。
【００９０】
この時計ケース胴体１２の上面に装着される風防ガラスは、多面カットが施された上方ガラス部材であるのが望ましい。
このように、時計ケース胴体１２の上面に装着される風防ガラスを、多面カットが施された上方ガラス部材３０から構成することによって、側方収容凹部２０に装着された側方ガラス部材２２と組み合わさって、デザインバリエーションのさらに拡大が図れ、高級感のある斬新なデザインの時計を提供することができる。
【００９１】
すなわち、この実施例では、図７〜図１０に示されているように、上方ガラス部材３０は、いわゆる五面カットが施されており、矩形形状の上面３０ａの４つの辺から三角形形状の４つの斜面３０ｂが下方に傾斜して形成されており、これらの斜面３０ｂにより４つの略三角形の側面３０ｃが形成されている。
【００９２】
図９に示したように、これらの側面３０ｃの三角形に合致するような形状に、時計ケース胴体１２の側面１４の形状が構成されている。
そして、図１、図１０に示したように、この実施例では、側方ガラス部材２２の三角形の斜面２２ａの頂点と、上方ガラス部材３０の斜面３０ｂの間の境界線３０ｄとが合致して立体幾何学的に美麗なデザインを構成するようになっている。
【００９３】
また、時計ケース胴体１２の裏面に装着される裏蓋３２が、側方支持部１６に、ネジなどの係止部材３４によって係止されている。
このように構成することによって、時計ケース胴体１２の裏面に裏蓋３２を、側方支持部１６に、例えば、ネジなどの係止部材３４によって係止することができるので、裏蓋３２を、時計ケース胴体１２の裏面に確実に固定することができる。
【００９４】
なお、図５の矢印で示したように、側方ガラス部材２２の下面は、裏蓋３２に覆われていない状態となっているので、下方より側方ガラス部材２２内に光が入り、上方、側方などに通過して多面カット面で散乱されることになるので、キラキラした輝きを増す効果もある。
【００９５】
なお、図４〜図６中、符号３８は、表示板、４０は、ムーブメント、４２は、ムーブメント４０を支持する支持枠、４４は、防水パッキン、４６は、時針、４８は、分針を示している。
【００９６】
さらに、図７〜図１０に示したように、時計ケース胴体１２の側面１４には、例えば、リューズなどの操作部材５０を装着するための突設部５２が形成されており、この突設部５２に対応して、側方ガラス部材２２に、時計の操作部材用の開口部５４が形成されている。
【００９７】
図５、図１０に示したように、時計ケース胴体１２の突設部５２の開口部５２ａに、パイプ１８、パッキン３６を介して、リューズなどの操作部材５０が、ムーブメント４０の操作棒部材４０ａに連結するように装着されており、操作部材５０の操作部分５０ａが、側方ガラス部材２２の操作部材用の開口部５４を介して露出し、これにより操作ができるようになっている。
【００９８】
このように側方ガラス部材２２に、時計の操作部材用の開口部５４が形成されているので、この開口部５４を介して、例えば、リューズなどの操作部材５０を操作して、時計の時刻合わせ、日付、曜日合わせなど各種の操作を容易に行うことができる。
【００９９】
また、図４〜図５に示したように、側方ガラス部材２２の時計ケース胴体１２側の表面に、内面被膜５６が形成されているのが望ましい。
なお、この場合、内面被膜５６としては、有色被膜や反射被膜とすることができる。
【０１００】
また、内面被膜５６は、印刷、スピンコート、ディッピング、刷毛塗り、噴霧塗装、静電塗装、電着塗装等の塗装などにより形成した、例えば、メラミン樹脂、アクリル樹脂、エポキシ樹脂などの合成樹脂を被覆することによって形成することができる。
【０１０１】
さらに、内面被膜５６は、印刷、スピンコート、ディッピング、刷毛塗り、噴霧塗装、静電塗装、電着塗装等の塗装などにより形成した、例えば、有機顔料若しくは無機顔料を含む、インクまたは塗料を、被覆することによって形成することができる。
【０１０２】
さらに、内面被膜５６は、金、銀、銅、黄銅、アルミニウム、マグネシウム、亜鉛、チタン、クロムなどの金属から選択した少なくとも１種の金属、またはこれらの少なくとも１種の金属の合金を、例えば、熱ＣＶＤ、プラズマＣＶＤ、レーザーＣＶＤなどの化学蒸着法（ＣＶＤ）、真空蒸着、スパッタリング、またはイオンプレーティングなどのドライメッキ処理、溶射など、さらには、電解メッキ、無電解メッキ等の湿式メッキ法で、非常に薄い金属膜を形成しても良い。
【０１０３】
また、上記した各種の内面被膜５６を組み合わせることもでき、模様を形成するようにすることも可能である。
さらに、内面被膜５６は、側方ガラス部材２２自体の時計ケース胴体１２側の表面に形成しても良いが、時計ケース胴体の表面に形成しても良い。
【０１０４】
このように内面被膜５６として、金属被膜、合成樹脂被膜により形成することによって、側方ガラス部材を介して、内面被膜５６が視認されることになるので、例えば、内面被膜５６が、金属被膜などの反射性を有するものであり、側方ガラス部材に多面カットが施されていれば、内面被膜５６のキラキラした反射効果による輝きを有する斬新なデザインが得られることになる。
【０１０５】
また、内面被膜５６が、合成樹脂被膜によって形成した場合、例えば、この合成樹脂被膜に着色を施しておけば、金属被膜と同様に、着色されたキラキラした反射効果による輝きを有する斬新なデザインが得られることになる。
【０１０６】
また、図示しないが、側方ガラス部材２２の側方支持部１６側の表面に、内面被膜を形成することもできる。
なお、この場合、内面被膜としては、上記の側方ガラス部材２２の時計ケース胴体１２側の表面に形成した内面被膜５６と同様な内面被膜を用いることができる。
【０１０７】
このように構成することによって、側方ガラス部材２２を介して斜めから視認した場合にも、内面被膜のキラキラした反射効果による輝きを有する斬新なデザインが得られることになる。
【０１０８】
また、図示しないが、側方ガラス部材２２の下方支持部２４側の表面に、内面被膜を形成することもできる。
なお、この場合、内面被膜としては、上記の側方ガラス部材２２の時計ケース胴体１２側の表面に形成した内面被膜５６と同様な内面被膜を用いることができる。
【０１０９】
このように構成することによって、側方ガラス部材２２を介して上方から視認した場合にも、内面被膜のキラキラした反射効果による輝きを有する斬新なデザインが得られることになる。
【０１１０】
また、図２、図４〜図６に示したように、上方ガラス部材３０の時計ケース胴体１２側の一部の表面に、この実施例では、外周部分に、内面被膜５８が形成されているのが望ましい。
【０１１１】
なお、この場合、内面被膜５８としては、上記の側方ガラス部材２２の時計ケース胴体１２側の表面に形成した内面被膜５６と同様な内面被膜を用いることができる。
このように構成することによって、上方ガラス部材３０を介して上方から視認した場合、内面被膜５８のキラキラした反射効果による輝きを有する斬新なデザインを、風防ガラスに実現することができる。
【０１１２】
また、図１、図３〜図５に示したように、裏蓋３２の下面に、時計バンド６０の連結部６２が形成されており、この連結部６２の連結孔６２ａに、連結棒６４を介して、時計バンド６０が脱着自在に連結されている。
【０１１３】
このように裏蓋３２の下面に、時計バンド６０の連結部６２が形成されたタイプの無線機能付き時計１０を得ることができる。
ところで、本発明の時計ケース胴体１２は、強度、高級感、装飾性などを考慮して、導電性の材料から構成されており、例えば、金、銀、銅、黄銅、アルミニウム、マグネシウム、亜鉛、チタン、またはこれらの合金などが採用される。また、例えば、チタン合金、ステンレススチール、タンタルカーバイドなどが採用される。
【０１１４】
従って、アンテナを収納する時計ケース胴体１２に導電性の素材、すなわち、金属製の素材を採用した場合、すなわち、金属製のハウジング内に収納した場合には、アンテナ近傍に発生する磁束が導電材料である金属製のハウジングに吸収され、共振現象が妨げられるため、アンテナが標準電波を受信する受信機能が著しく低下してしまうことになる。
【０１１５】
この実施例の時計ケース胴体１２では、図５、図１１に示したように、時計ケース胴体１２の内部に、すなわち、ムーブメント４０の側部下方の小径部４０ａには、標準電波を受信するためのアンテナ１１が付設されている。
【０１１６】
なお、この実施例では、アンテナ１１は、コアとなる棒状の磁芯部材１１ｃと、この磁芯部材の外周に巻かれたコイル１１ｄとより成るバーアンテナとして図示しているが、その他の構成のアンテナ部材から構成することも勿論可能である。
【０１１７】
そして、時計ケース胴体１２の側面１４には、アンテナ１１の端面１１ａ、１１ｂの近傍に少なくとも対向箇所に、時計ケース胴体１２の肉厚を薄く形成した薄肉部１３（１３ａ、１３ｂ）を備えている。
【０１１８】
この実施例では、図７に示したように、この薄肉部１３は、アンテナ１１の端面１１ａ、１１ｂに対向するように、矩形形状に形成されている。
また、この実施例では、薄肉部１３を矩形形状としたが、アンテナ１１の端面１１ａ、１１ｂに対向する形状であれば、円形、楕円形、多角形など様々な形状を採用することができる。
【０１１９】
このように構成することによって、アンテナ１１の端面１１ａ、１１ｂの近傍に対向して配置された時計ケース胴体１２の肉厚を薄く形成した薄肉部１３を備えるので、この薄肉部１３を介して、電波がアンテナ１１の端面１１ａ、１１ｂに受信され、導電性の時計ケース胴体１２や裏蓋３２を採用した場合にも、アンテナ１１の受信感度の低下が阻止されることになり、アンテナ１１の受信感度が向上することになる。
【０１２０】
このため、導電性の時計ケース胴体１２や裏蓋３２を採用することができるので、美観が良好で、高級感を有し、強度的にも優れ、内部に収容したアンテナ１１が確実に電波を受信することが可能な無線機能付き時計を提供することができる。
【０１２１】
また、時計ケース胴体１２の薄肉部１３の外側に装飾部材である側方ガラス部材２２を配置、すなわち、薄肉部１３を覆うように装飾部材である側方ガラス部材２２を配置しているので、薄肉部１３が補強体として機能する側方ガラス部材２２によって、機械的にも補強強度が向上する。
【０１２２】
さらに、時計ケース胴体１２の外側に薄肉部１３を形成しているので、時計ケース胴体１２の内側に薄肉部を形成する場合と比較して、容易に加工することができる。
さらに、装飾部材として、側方ガラス部材２２を配置しているので、側方ガラス部材２２を介して、電波がアンテナの端面１１ａ、１１ｂに受信され易く（側方ガラス部材を介して電波が回り込み易く）なり、導電性の時計ケース胴体１２や裏蓋３２を採用した場合にも、アンテナ１１の受信感度の低下が阻止されることになり、アンテナ１１の受信感度が向上することになる。
【０１２３】
さらに、このように構成される時計ケース胴体１２では、図１１に示したように、時計ケース胴体１２の薄肉部１３の外側に装飾部材である側方ガラス部材２２が配置されており、外部からの光が、図１１の矢印のように入射して、下方支持部２４、時計ケース胴体１２の側面１４を介して乱反射されて、観者に視認されることになるので、反射効果による輝きを有する斬新なデザインが得られることになる。
【０１２４】
この場合、この実施例では、時計ケース胴体１２の薄肉部１３が、アンテナ１１の両端面１１ａ、１１ｂに対向して配置された２つの薄肉部１３ａ、１３ｂから構成したが、図１２に示したように、時計ケース胴体１２の薄肉部１３が、アンテナ１１の少なくとも一方の端面、例えば、図１２の実施例のように、アンテナ１１の両端面１１ａに対向して配置された薄肉部１３ａから構成しても良い。
【０１２５】
このように構成することによって、アンテナ１１の少なくとも一方の端面１１ａに対向して配置された薄肉部１３ａを介して、電波がアンテナ１１の端面１１ａに受信され、導電性の時計ケース胴体１２や裏蓋３２を採用した場合にも、アンテナ１１の受信感度の低下が阻止されることになり、アンテナ１１の受信感度が向上することになる。
【０１２６】
この場合、図２、図１１に示したように、時計ケース胴体１２の薄肉部１３が、アンテナ１１の軸線Ｄの延長上に位置するのが望ましい。
このように構成することによって、アンテナ１１の軸線Ｄの延長上に位置する薄肉部１３を介して、電波がアンテナ１１の端面１１ａ、１１ｂに受信され、導電性の時計ケース胴体１２や裏蓋３２を採用した場合にも、アンテナ１１の受信感度の低下が阻止されることになり、アンテナ１１の受信感度が向上することになる。
【０１２７】
また、本発明の無線機能付き時計では、図２に示したように、時計ケース胴体１２の薄肉部１３の水平方向に沿った寸法Ｉが、少なくともアンテナ１１の水平方向に沿った寸法Ｋ、すなわち、コアとなる棒状の磁芯部材１１ｃと、この磁芯部材の外周に巻かれたコイル１１ｄを合わせた水平方向に沿った寸法より大きく形成されているのが望ましい。
【０１２８】
このように構成することによって、時計ケース胴体１２の薄肉部１３の水平方向に沿った寸法Ｉが、少なくともアンテナの水平方向に沿った寸法Ｋより大きく形成されているので、この大きく形成された薄肉部１３を介して、電波がアンテナ１１の端面１１ａ、１１ｂにさらに良好に受信され、導電性の時計ケース１２や裏蓋３２を採用した場合にも、アンテナ１１の受信感度の低下が阻止されることになり、アンテナ１１の受信感度がさらに向上することになる。
【０１２９】
また、本発明の無線機能付き時計では、図２に示したように、時計ケース胴体１２の薄肉部１３の水平方向に沿った寸法Ｉが、少なくともアンテナ１１のコアの水平方向に沿った寸法Ｋ，すなわち、コアとなる棒状の磁芯部材１１ｃに対応する水平方向に沿った寸法Ｊより大きく形成されているのが望ましい。
【０１３０】
このように構成することによって、時計ケース胴体１２の薄肉部１３の水平方向に沿った寸法Ｉが、少なくともアンテナ１１のコアの水平方向に沿った寸法Ｋより大きく形成されているので、アンテナの両端面１１ａ、１１ｂ、すなわち、少なくともアンテナのコア周りに、薄肉部１３を介して、電波がアンテナの端面に受信され、導電性の時計ケース１２や裏蓋３２を採用した場合にも、アンテナ１１の受信感度の低下が阻止されることになり、アンテナ１１の受信感度がさらに向上することになる。
【０１３１】
なお、図１３に示したように、本発明の無線機能付き時計１０では、時計ケース胴体１２の薄肉部１３が、時計ケース胴体１２の全周にわたって形成することもできる。
このように時計ケース胴体１２の薄肉部１３が、時計ケース胴体１２の全周にわたって形成されていても、薄肉部１３を介して、電波がアンテナ１１の端面１１ａ、１１ｂに受信され、導電性の時計ケース胴体１２や裏蓋３２を採用した場合にも、アンテナ１１の受信感度の低下が阻止されることになり、アンテナ１１の受信感度が向上することになる。
【０１３２】
しかも、時計ケース胴体１２の全周にわたって、時計ケース胴体１２の薄肉部１３の外側に装飾部材である側方ガラス部材２２を配置することができるので、薄肉部１３が補強体として機能する装飾部材によって、機械的にも補強強度が向上する。
【０１３３】
しかも、この時計ケース胴体１２の薄肉部１３の外側に装飾部材が、観者に視認されることになるので、デザイン的にも時計ケース胴体１２が視認される単純なものでなく、デザインバリエーションの拡大が図れ、高級感のある斬新なデザインの時計を得ることができる。
【０１３４】
また、時計ケース胴体１２の薄肉部１３の大きさとしては、図１１に示したように、時計ケース胴体の薄肉部の上下方向に沿った寸法Ｈが、少なくともアンテナ１１の上下方向に沿った寸法Ｅ、すなわち、コアとなる棒状の磁芯部材１１ｃと、この磁芯部材の外周に巻かれたコイル１１ｄを合わせた上下方向に沿った寸法Ｅより大きく形成されているのが望ましい。
【０１３５】
このように構成することによって、時計ケース胴体の薄肉部の上下方向に沿った寸法Ｈが、少なくともアンテナ１１の上下方向に沿った寸法Ｅより大きく形成されているので、この大きく形成された薄肉部１３を介して、電波がアンテナ１１の端面１１ａ、１１ｂにさらに良好に受信され、導電性の時計ケース胴体１２や裏蓋３２を採用した場合にも、アンテナ１１の受信感度の低下が阻止されることになり、アンテナの受信感度がさらに向上することになる。
【０１３６】
また、時計ケース胴体１２の薄肉部１３の大きさとしては、図１４に示したように、時計ケース胴体１２の薄肉部１３の上下方向に沿った寸法Ｈが、少なくともアンテナ１１のコアの上下方向に沿った寸法Ｆ、すなわち、コアとなる棒状の磁芯部材１１ｃに対応する上下方向に沿った寸法Ｆより大きく形成されているのが望ましい。
【０１３７】
このように構成することによって、時計ケース胴体１２の薄肉部１３の上下方向に沿った寸法Ｈが、少なくともアンテナ１１のコアの上下方向に沿った寸法Ｆより大きく形成されているので、アンテナの両端面、すなわち、少なくともアンテナのコア周りに、薄肉部１３を介して、電波がアンテナ１１の端面１１ａ、１１ｂに受信され、導電性の時計ケース胴体１２や裏蓋３２を採用した場合にも、アンテナ１１の受信感度の低下が阻止されることになり、アンテナ１１の受信感度が向上することになる。
【０１３８】
なお、以下の実施例においても、上記の時計ケース胴体１２の薄肉部１３の大きさは同様である。
また、時計ケース胴体１２の薄肉部１３の厚さは、例えば、パソコン通信機能、携帯電話機能や非接触式ＩＣカード機能などの無線機能を備える時計、時刻情報を含む長波標準電波（搬送波）を受信し、その時刻情報に基づいて時刻を修正する無線機能を備えた電波時計などの無線機能によって、薄肉部１３を介して、電波がアンテナ１１の端面１１ａ、１１ｂに効率良く受信するように設定すれば良く、特に限定されるものではない。
【０１３９】
例えば、電波時計として用いる場合には、時計ケース胴体１２の薄肉部１３の厚さは、５００μｍ〜３０００μｍ、時計ケース胴体１２の強度および時計ケース胴体１２の電波受信可能な厚さを考慮すると８００μｍ〜２５００μｍである。ただし、アンテナの位置や受信性能によって好ましい厚さが変わるのは言うまでもない。
【０１４０】
また、上記の実施例では、装飾部材として、側方ガラス部材２２を用いたが、装飾性と補強機能を有するものであれば、装飾部材としては、特に限定されるものではなく、側方ガラス部材２２の代わりに、例えば、貴石、合成樹脂、白蝶貝などの貝、セラミックスなどが使用可能である（以下の実施例においても同様である）。
【０１４１】
さらに、この実施例では、図示していないが、例えば、表示板３８ともムーブメント４０の間にソーラーセルを配置して、表示板３８を、発電に寄与する波長の外光を、少なくともムーブメント４０の駆動に足るだけ透過させる透光機能を有するものとして、光によってムーブメントを駆動するソーラー時計に適用することも可能である（以下の実施例においても同様である）。
【実施例２】
【０１４２】
図１５は、本発明の別の実施例の時計の図２と同様な腕時計の上面図、図１６は、図１５の腕時計の図６と同様な断面図、図１７は、図１５の腕時計の図９と同様な時計ケース胴体と、側方ガラス部材と、上方ガラス部材を示す分解斜視図である。
【０１４３】
この実施例の無線機能付き時計１０は、図１〜図１４に示した実施例１の無線機能付き時計１０と基本的には同様な構成であり、同一の構成部材には、同一の参照番号を付して、その詳細な説明を省略する。
【０１４４】
この実施例の無線機能付き時計１０では、側方支持部１６の上面に、凹部６５が形成されており、この凹部６５に側方ガラス部材６６が装着されている。
なお、図１６に示されているように、この側方ガラス部材６６の時計ケース胴体１２側の表面（この実施例では、側面１４側と下方側）にも、内面被膜５６と同様な内面被膜６５が形成されており、側方ガラス部材２２と同様にキラキラした反射効果による輝きを有する斬新なデザインを、風防ガラスに実現することができるようになっている。
【０１４５】
このように構成することによって、側方収容凹部２０に側方ガラス部材２２が装着されているだけでなく、側方支持部１６の上面に形成された凹部６５にも、側方ガラス部材６６が装着されているので、デザインバリエーションの拡大が図れ、高級感のある斬新なデザインの時計を提供することができる。
【実施例３】
【０１４６】
図１８は、本発明の別の実施例の時計の図１と同様な斜視図、図１９は、図１８の腕時計の図２と同様な腕時計の上面図、図２０は、図１８の腕時計の図９と同様な時計ケース胴体と、側方ガラス部材と、上方ガラス部材を示す分解斜視図である。
【０１４７】
この実施例の無線機能付き時計１０は、図１５〜図１７に示した実施例２の無線機能付き時計１０と基本的には同様な構成であり、同一の構成部材には、同一の参照番号を付して、その詳細な説明を省略する。
【０１４８】
この実施例の無線機能付き時計１０では、側方支持部１６が延設された延設部６８を有し、この延設部６８に時計バンドの連結部７０が形成されている。
このように構成することによって、側方支持部１６が延設された延設部６８を有し、この延設部６８に時計バンド６０の連結部７０が形成されているタイプの腕時計を得ることができる。
【実施例４】
【０１４９】
図２１は、本発明の別の実施例の時計の図１１と同様な断面図である。
この実施例の無線機能付き時計１０は、図１〜図１４に示した実施例１の無線機能付き時計１０と基本的には同様な構成であり、同一の構成部材には、同一の参照番号を付して、その詳細な説明を省略する。
【０１５０】
この実施例の無線機能付き時計１０では、時計ケース胴体１２の側面１４には、アンテナ１１の端面１１ａ、１１ｂの近傍に少なくとも対向箇所に、時計ケース胴体１２に上記の実施例１の薄肉部１３（１３ａ、１３ｂ）に対応する箇所を、薄肉部の代わりに、貫通孔１５（１５ａ、１５ｂ）を形成している。
【０１５１】
そして、時計ケース胴体１２の貫通孔１５の外側に装飾部材である側方ガラス部材２２の一部が、この貫通孔１５内に嵌合するように、嵌合部２２ｂが形成されている。
このように貫通孔１５内に、ガラス部材２２の嵌合部２２ｂを配置、すなわち、貫通孔１５を覆うように装飾部材である側方ガラス部材２２を配置していることになるので、薄肉部１３が補強体として機能する側方ガラス部材２２によって、機械的にも補強強度が向上する。
【０１５２】
しかも、アンテナ１１の端面１１ａ、１１ｂの近傍に対向して配置された時計ケース胴体１２に貫通孔１５を備え、この貫通孔１５にガラス部材２２の嵌合部２２ｂを配置しているので、このガラス部材２２の嵌合部２２ｂ、貫通孔１５を介して、電波がアンテナ１１の端面１１ａ、１１ｂに受信され易く（ガラス部材２２の嵌合部２２ｂを介して電波が回り込み易く）なり、導電性の時計ケース胴体１２や裏蓋３２を採用した場合にも、アンテナ１１の受信感度の低下が阻止されることになり、アンテナ１１の受信感度が向上することになる。
【０１５３】
また、上記の実施例と同様に、内面被膜５６を形成するとともに、このガラス部材２２の嵌合部２２ｂの時計ケース胴体１２側の表面に、内面被膜５５を形成することもできる。
【０１５４】
このようにガラス部材２２の嵌合部２２ｂの時計ケース胴体１２側の表面に、内面被膜５５を形成することによって、キラキラした反射効果による輝きを得る効果以外にも、外部からの光が、図２１の矢印のように入射して、下方支持部２４、ガラス部材２２の嵌合部２２ｂの内面被膜５５を介して乱反射されて、観者に視認されることになるので、反射効果による輝きを有する斬新なデザインが得られることになる。
【０１５５】
この場合、上記実施例１の薄肉部１３と同様に、貫通孔１５は、アンテナ１１の端面１１ａ、１１ｂの近傍に少なくとも対向箇所に（図７、図８参照）形成することも、図１３の実施例の薄肉部１３と同様に、貫通孔１５を、時計ケース胴体１２の全周にわたって形成することもできる。
【０１５６】
また、この実施例では、貫通孔１５全体にガラス部材２２の嵌合部２２ｂを嵌合させるようにしたが、図示しないが、貫通孔１５の一部に、ガラス部材２２の嵌合部２２ｂを嵌合させるようにすることももちろん可能である。
【実施例５】
【０１５７】
図２２は、本発明の別の実施例の時計の図２と同様な腕時計の上面図である。
この実施例の無線機能付き時計１０は、図１〜図１４に示した実施例１の無線機能付き時計１０と基本的には同様な構成であり、同一の構成部材には、同一の参照番号を付して、その詳細な説明を省略する。
【０１５８】
この実施例の無線機能付き時計１０では、時計ケース胴体１２が、平面視で三角形の形状であり、時計ケース胴体１２の側面１４の平面視で頂点の一部分に、側方支持部１６が形成されている。
【０１５９】
また、この実施例では、１つの側方支持部１６に、例えば、いわゆるナス環などの止め具７６が設けられており、これにより、バッグなどに取り付けるアクセサリーなどの時計付き装身具として使用できるようになっており、デザインバリエーションの拡大が図れ、高級感のある斬新なデザインの時計を提供することができる。
【実施例６】
【０１６０】
図２３は、本発明の別の実施例の時計の図２と同様な腕時計の上面図である。
この実施例の無線機能付き時計１０は、図１〜図１０に示した実施例１の無線機能付き時計１０と基本的には同様な構成であり、同一の構成部材には、同一の参照番号を付して、その詳細な説明を省略する。
【０１６１】
この実施例の無線機能付き時計１０では、時計ケース胴体１２が、平面視で矩形の形状であり、時計ケース胴体１２の側面１４の平面視で頂点の部分から、略４５°の角度で、時計ケース胴体１２の側面１４から、平面方向外側に、上下方向に突設する側方支持部１６が形成されている。
【０１６２】
これにより、異なる形状の複数の側方ガラス部材２２となり、デザインバリエーションの拡大が図れ、高級感のある斬新なデザインの時計を提供することができる。
【実施例７】
【０１６３】
図２４は、本発明の別の実施例の時計の図２と同様な腕時計の上面図である。
この実施例の無線機能付き時計１０は、図１〜図１４に示した実施例１の無線機能付き時計１０と基本的には同様な構成であり、同一の構成部材には、同一の参照番号を付して、その詳細な説明を省略する。
【０１６４】
この実施例の無線機能付き時計１０では、時計ケース胴体１２が、平面視で多角形の形状であり、この実施例では、１２角形となっている。これらの１２角形の頂点からそれぞれ、平面方向外側に、上下方向に突設する側方支持部１６が形成されており、十二時間表示の時字７８に対応して、側方ガラス部材２２が配置されている。
【０１６５】
このように構成することによって、例えば、平面視で、三角形、四角形、六角形、十二角形などに側方ガラス部材２２を配置することができ、特に、この実施例のように十二角形に配置すれば、十二時間表示の時字７８に対応して、側方ガラス部材２２を配置することができ、時刻の把握が容易になるとともに、デザインバリエーションの拡大が図れ、高級感のある斬新なデザインの時計を提供することができる。
【実施例８】
【０１６６】
図２５は、本発明の別の実施例の時計の図２と同様な腕時計の上面図である。
この実施例の無線機能付き時計１０は、図１〜図１０に示した実施例１の無線機能付き時計１０と基本的には同様な構成であり、同一の構成部材には、同一の参照番号を付して、その詳細な説明を省略する。
【０１６７】
この実施例の無線機能付き時計１０では、時計ケース胴体１２が、平面視で円形の形状であり、所定の中心角度で離間して、この実施例では、中心角度αが６０°で、時計ケース胴体１２の側面１４から、平面方向外側に、上下方向に突設する側方支持部１６が形成されており、各側方収容凹部２０に略扇形状の側方ガラス部材２２が装着されている。
【０１６８】
なお、この中心角度αは、特に限定されるものではなく、デザインに応じて、適宜選択することができる。
このように構成することによって、円形形状に所定の中心角度で側方ガラス部材２２を配置することができ、特に、中心角度６０°で配置すれば、十二時間表示の時字７８に対応して、側方ガラス部材２２を配置することができ、時刻の把握が容易になるとともに、デザインバリエーションの拡大が図れ、高級感のある斬新なデザインの時計を提供することができる。
【０１６９】
このような円形の時計ケース胴体１２の場合にも、図２５で示したように、アンテナ１１の開放両端部１１ａ、１１ｂの近傍に対向して配置された、時計ケース胴体１２の肉厚を薄く形成した薄肉部１３（１３ａ、１３ｂ）を備えることができる。
【０１７０】
また、図２６で示したように、時計ケース胴体１２の薄肉部１３が、アンテナ１１の少なくとも一方の開放端部、例えば、図２６の実施例のように、アンテナ１１の開放両端部１１ａに対向して配置された薄肉部１３ａから構成しても良い。
【０１７１】
さらに、図２７に示したように、アンテナ１１の軸線Ｄが、アンテナ１１が円弧形状である場合、アンテナ１１の開放両端部１１ａ、１１ｂを結ぶ弦Ｄであるのが望ましい。
このようにアンテナ１１の軸線Ｄが、アンテナ１１が円弧形状である場合、アンテナの開放両端部分１１ａ、１１ｂを結ぶ弦Ｄであれば、アンテナ１１が円弧形状である場合であっても、時計ケース胴体１２の薄肉部１３が、アンテナ１１の軸線Ｄの延長上に位置することになる。
【０１７２】
このように構成することによって、アンテナ１１の軸線Ｄの延長上に位置する薄肉部１３を介して、電波がアンテナ１１の開放端部１１ａ、１１ｂに受信され、導電性の時計ケース胴体１２や裏蓋３２を採用した場合にも、アンテナの受信感度の低下が阻止されることになり、アンテナの受信感度が向上することになる。
【０１７３】
なお、図２６〜図２７のような、アンテナ１１と時計ケース胴体１２の薄肉部１３の位置関係は、図２４〜図２５の実施例にも適用されることは勿論である。
以上、本発明の好ましい実施の態様を説明してきたが、本発明はこれに限定されることはなく、例えば、上記実施例では、本発明の時計を、腕時計に適用したが、置時計、時計付き装身具などにも用いることもでき、本発明の目的を逸脱しない範囲で種々の変更が可能である。
【産業上の利用可能性】
【０１７４】
本発明は、無線機能付き時計、特に、所定の電波を受信できるアンテナと、アンテナを収容するための導電性のハウジングを備えた無線機能付き時計に好適である。
【符号の説明】
【０１７５】
１０   無線機能付き時計
１１   アンテナ
１１ａ、１１ｂ       開放端部
１１ｃ 磁芯部材
１１ｄ コイル
１２   時計ケース胴体
１３   薄肉部
１３ａ、１３ｂ       薄肉部
１４   側面
１５   貫通孔
１６   側方支持部
１８   パイプ
２０   側方収容凹部
２２   側方ガラス部材
２２ａ 斜面
２４   下方支持部
２６   フランジ
２８   段部
３０   上方ガラス部材
３０ａ 上面
３０ｂ 斜面
３０ｃ 側面
３０ｄ 境界線
３２   裏蓋
３４   係止部材
３６   パッキン
３８   表示板
４０   ムーブメント
４０ａ 操作棒部材
４０ａ 小径部
４２   支持枠
４４   防水パッキン
４６   時針
４８   分針
５０   操作部材
５０ａ 操作部分
５２   突設部
５２ａ 開口部
５４   開口部
５５   内面被膜
５６   内面被膜
５８   内面被膜
６０   時計バンド
６２   連結部
６２ａ 連結孔
６４   連結棒
６５   凹部
６６   側方ガラス部材
６８   延設部
７０   連結部
７６   止め具
７８   時字
１００ 無線機能付き時計
１０２ 時計ケース胴体
１０４ 側面
１０６ 上方フランジ
１０８ 裏蓋
１１０ 締結部材
１１２ 延設部
１１４ 側方収容凹部
１１６ 側方ガラス部材
１１８ リングパッキン
１２０ パッキン
１２２ 風防ガラス
１２４ 防水パッキン
１２６ 表示板
１２８ ムーブメント
１３０ 支持枠
１３２ バンドの連結部材
１３４ バンド
１３６ 操作部材
１２８ ムーブメント
２００ 電波時計
２０２ ハウジング
２０４ 時計ケース胴体
２０６ 裏蓋
２０８ 風防
２１０ ムーブメント
２１２ 文字板
２１４ アンテナ
２１４ 文字板
２１４ アンテナ
２１６ 分針
２１８ 時針
２２０ 薄肉部
２２２ 凹部
２２４ 補強体
【図１】
2010237014.tif 000003
【図２】
2010237014.tif 000004
【図３】
2010237014.tif 000005
【図４】
2010237014.tif 000006
【図５】
2010237014.tif 000007
【図６】
2010237014.tif 000008
【図７】
2010237014.tif 000009
【図８】
2010237014.tif 000010
【図９】
2010237014.tif 000011
【図１０】
2010237014.tif 000012
【図１１】
2010237014.tif 000013
【図１２】
2010237014.tif 000014
【図１３】
2010237014.tif 000015
【図１４】
2010237014.tif 000016
【図１５】
2010237014.tif 000017
【図１６】
2010237014.tif 000018
【図１７】
2010237014.tif 000019
【図１８】
2010237014.tif 000020
【図１９】
2010237014.tif 000021
【図２０】
2010237014.tif 000022
【図２１】
2010237014.tif 000023
【図２２】
2010237014.tif 000024
【図２３】
2010237014.tif 000025
【図２４】
2010237014.tif 000026
【図２５】
2010237014.tif 000027
【図２６】
2010237014.tif 000028
【図２７】
2010237014.tif 000029
【図２８】
2010237014.tif 000030
【図２９】
2010237014.tif 000031
【図３０】
2010237014.tif 000032